(57)【要約】【課題】  機能部材を屋根材に取付けるにあたり、コーキング材の注入作業を要することによって施工性が悪くなるとともに安定した防水効果が得られない又は防水が為されない惧れがある、といったことがない機能部材取付け構造を提供する。【解決手段】  屋根材１にベース板２を配設するとともに該ベース板２の表面に機能部材３を固定する機能部材取付け構造である。ベース板２に屋根材１に固定するための固着具４が挿通される固着具挿通孔２０を形成するとともに、固着具４を螺子４０の頭部４０ａ裏面から軸部４０ｂの中間部にかけて弾性を有する筒状をしたパッキン材４１を被嵌して形成し、前記固着具４を屋根材１に配設したベース板２の固着具挿通孔２０に挿通して屋根材１にねじ込み固定するとともにパッキン材４１を屋根材１とベース板２との間で圧縮した。【選択図】      図１
2005281978.tif 000002
【特許請求の範囲】
【請求項１】
屋根材にベース板を配設するとともに該ベース板の表面に機能部材を固定する機能部材取付け構造において、ベース板に屋根材に固定するための固着具が挿通される固着具挿通孔を形成するとともに、固着具を螺子の頭部裏面から軸部の中間部にかけて弾性を有する筒状をしたパッキン材を被嵌して形成し、前記固着具を屋根材に配設したベース板の固着具挿通孔に挿通して屋根材にねじ込み固定するとともにパッキン材を屋根材とベース板との間で圧縮して成ることを特徴とする機能部材取付け構造。
【請求項２】
パッキン材に螺子の頭部裏面に沿う鍔部を形成して成ることを特徴とする請求項１記載の機能部材取付け構造。
【発明の詳細な説明】
【技術分野】
【０００１】
本発明は、屋根材にベース板を配設するとともに該ベース板の表面に機能部材を固定する機能部材取付け構造に関するものである。
【背景技術】
【０００２】
従来より、屋根上にベース板を介して太陽光発電パネル等の機能部材を配設する機能部材取付け構造がよく用いられている（例えば特許文献１参照）。
【０００３】
このような機能部材取付け構造は、一般的に図５に示すように、屋根材１の表面に固定したベース板２の固定バー５に機能部材（図示せず）を固定するものである。
【０００４】
ベース板２は、左右方向（図５において紙面に垂直な方向）に山部及び谷部が連続する波状に形成し、機能部材の周縁が固定される固定バー５がベース板２の左右方向に沿って複数の山部に跨るように取り付けられる。また、山部にはベース板２を屋根材１に固定するための固着具４’が挿通される固着具挿通孔２０が形成してある。なお、図中の符号１１は屋根材１の表面に貼着される防水シートを示し、符号６は山部の固着具挿通孔２０を形成した部分に取り付けられる取付バー（後述する）を示す。図５に示す例では、取付バー６は底板６１とその短手方向両側に形成された補強部６２とからなるもので、ベース板２の左右方向に沿って複数の山部に跨るように取り付けられるとともに、底板６１の山部の固着具挿通孔２０に対応する部分に貫通孔（図示せず）が形成してある。
【０００５】
この従来の機能部材取付け構造においては、ベース板２の屋根材１への取付けにあたって、屋根材１上にベース板２を載置し、取付バー６の貫通孔及びベース板２の固着具挿通孔２０を介して該ベース板２と屋根材１との間にコーキング材７を注入し（図５（ａ）参照）、取付バー６の貫通孔及びベース板２の固着具挿通孔２０に上方から固着具４’を挿通して屋根材１にねじ込み固定し、固着具４’の屋根材１へのねじ込み部分をコーキング材７によって防水するものである。
【０００６】
このような機能部材取付け構造にあっては、上述したようにコーキング材７をベース板２と屋根材１との間に注入するものであるため、その注入作業が必要で施工性が悪いものであり、また、施工者によってコーキング材７の注入量が異なって安定した防水効果が得られないものであり、また、コーキング材７の注入を忘れて防水が為されない惧れもあるものであった。
【特許文献１】特開２００３−３１４０１０号公報
【発明の開示】
【発明が解決しようとする課題】
【０００７】
本発明は上記の点に鑑みなされたものであって、その目的とするところは、機能部材を屋根材に取付けるにあたり、コーキング材の注入作業を要することによって施工性が悪くなるとともに安定した防水効果が得られない又は防水が為されない惧れがある、といったことがない機能部材取付け構造を提供することにある。
【課題を解決するための手段】
【０００８】
上記課題を解決するために請求項１に係る発明にあっては、屋根材１にベース板２を配設するとともに該ベース板２の表面に機能部材３を固定する機能部材取付け構造において、ベース板２に屋根材１に固定するための固着具４が挿通される固着具挿通孔２０を形成するとともに、固着具４を螺子４０の頭部４０ａ裏面から軸部４０ｂの中間部にかけて弾性を有する筒状をしたパッキン材４１を被嵌して形成し、前記固着具４を屋根材１に配設したベース板２の固着具挿通孔２０に挿通して屋根材１にねじ込み固定するとともにパッキン材４１を屋根材１とベース板２との間で圧縮して成ることを特徴とするものである。このような構成とすることで、固着具４のパッキン材４１を屋根材１上の固着具４が取り付けられる部分に圧接して防水することができて、屋根材１にベース板２を取り付けるのにコーキング材を用いる必要がなくなって、その注入作業が不要となって施工性が向上するととともに、施工者によるコーキング材の注入量が異なって安定した防水効果が得られなかったりコーキング材の注入を忘れて防水が為されないといったことがないものである。
【０００９】
また、請求項２に係る発明にあっては、請求項１の発明において、パッキン材４に螺子４０の頭部４０ａ裏面に沿う鍔部４２を形成して成ることを特徴とするものである。このような構成とすることで、固着具４をベース板２の固着具挿通孔２０に上方から挿通して屋根材１にねじ込み固定する際、固着具４の頭部４０ａ裏面とベース板２上面との間でパッキン材４の鍔部４２を挟着することができて、ベース板２の固着具挿通孔２０の止水ができるものである。
【発明の効果】
【００１０】
本発明にあっては、固着具のパッキン材を屋根材上の固着具が取り付けられる部分に圧接して防水することができて、屋根材にベース板を取り付けるのにコーキング材を用いる必要がなくなって、その注入作業が不要となって施工性が向上するととともに、施工者によるコーキング材の注入量が異なって安定した防水効果が得られなかったりコーキング材の注入を忘れて防水が為されないといったことがないものである。
【発明を実施するための最良の形態】
【００１１】
以下、本発明を添付図面に示す実施形態に基づいて説明する。
【００１２】
本発明における機能部材取付け構造は、図３に示すように、屋根材１にベース板２を配設するとともに該ベース板２の表面に太陽光発電パネル等の機能部材３を固定するものである。屋根材１としては、野地板のような下地材、又は野地板のような下地材の表面に屋根表面材（例えば瓦）を設けたもの等、特に限定されないものであり、このような屋根材１上にベース板２を軒棟方向及びこれと直交する左右方向に並べて載設するものである。
【００１３】
ベース板２は、図４に示すように、左右方向Ｂに山部２１と谷部２２とを交互に連続する波状に形成されるもので、通常は金属で形成され、特に本実施形態では山部２１の頂部と谷部２２の底部はそれぞれ平面状となる台形状となっており、後述する固定バー５や取付バー６は複数の山部２１の平面状の頂部に跨るように取り付けられる。またこのベース板２は、屋根材１として野地板のような下地材に取り付けられた際にこれ自身が屋根としての機能を有するものであってもよい。
【００１４】
軒棟方向Ａに隣り合うベース板２間は図３に示すようにベース板２の端部の上下の重ね合わせにより止水され、左右方向Ｂに隣り合うベース板２間は、一方のベース板２の側端部の山部２１と他方のベース板２の側端部の山部２１とを嵌合させることで止水されている。また、ベース板２を波状に形成することで、左右方向Ｂへの位置決めが容易になると共に、軒側Ａ１への排水も容易になり、さらに加えて、ベース板２の板厚を厚くすることなく軒棟方向Ａの曲げ剛性を上げることができ、コストを削減しながら必要な強度が得られると共に、ベース板２の棟側端部（図４におけるベース板２上端部）は左右方向Ｂの略全長に亘って平板状に形成されており、これにより軒側端部の下面から雨水が逆流しても、平板状の棟側端部において水が阻止され、それ以上の逆流を防いで、ベース板２とこれよりも棟側に位置する屋根材１との隙間に雨水が浸入するのを防止できる構造となっている。
【００１５】
ベース板２の軒側端部及び棟側端部には、図３に示すように、金属製の固定バー５がそれぞれ取り付けられており、この固定バー５に機能部材３の周縁が支持されるようになっている。
【００１６】
またベース板２には、図１，図３に示すように複数の山部２１に跨るように取付バー６が取り付けてあるとともに、山部２１の取付バー６が取り付けられた部分に該ベース板２を屋根材１に固定する固着具４（後述する）が挿通される固着具挿通孔２０が設けてある。取付バー６は、ベース板２の左右方向Ｂに沿って複数の山部２１に跨る長手形状の底板部（図５の符号６１参照）と、底板部の短手方向の両端部からそれぞれ上方に突設される一対の角筒形状の補強部（図５の符号６２参照）とが一体に構成されており、底板部にはベース板の固着具挿通孔２０に対応する部分に貫通孔（図示せず）が形成してあり、これら貫通孔と固着具挿通孔２０とが連通した状態で固着具４が挿通されるものである。
【００１７】
この取付バー６は、ベース板２における軒棟方向Ａの中間位置よりも軒側Ａ１に寄せて取り付けることで、軒棟方向Ａに二枚のベース板２が並べて敷設される場合にあっては、軒側Ａ１のベース板２の棟側端部を棟側Ａ２のベース板２の軒側端部によって上から押さえて固定できるので、軒側Ａ１のベース板２の軒側Ａ１に寄った位置に取付バー６を取り付けるだけで、取付バー６の数をへらしながら屋根材１に対するベース板２全体の固定力を高めることができる。
【００１８】
しかして、屋根材１の上に機能部材３を配設するにあたっては、先ず、複数のベース板２を屋根材１上に並べて敷設する。このとき、最も軒側Ａ１のベース板２を屋根材１の軒側Ａ１の端部に合わせて載置し、このベース板２の棟側端部の上面にこれと隣り合う棟側Ａ２のベース板２の軒側端部を上から重ねるようにして設置する。
【００１９】
その後、取付バー６の長手方向をベース板２の左右方向Ｂに向け且つ取付バー６をベース板２の複数の山部２１に跨いだ状態で、ベース板２の上面に設けた目印（特に図示せず）に合わせて取付バー６を載置する。このとき取付バー６の裏面（接着面）の離型紙を剥がして、ベース板２の目印に合わせて仮接着する。そして、取付バー６の上方から後述する固着具４を取付バー６の貫通孔及びベース板２の固着具挿通孔２０を介して屋根材１にねじ込み固定してベース板２を屋根材１に取り付けるとともに、ベース板２の固定バー５に機能部材３を取り付ける。この結果、屋根材１へのベース板２の固定力が強く、簡単且つ強固に取り付けることができ、施工性及び意匠性に優れた状態で機能部材３を施工することができる。
【００２０】
ここで、固着具４について説明する。固着具４は、図２に示すように、頭部４０ａ及び軸部４０ｂからなる螺子４０にその頭部４０ａ裏面から軸部４０ｂの中間部にかけてパッキン材４１を被嵌してなるものである。パッキン材４１は略筒状をした弾性を有するものであり、その外径はベース板２の固着具挿通孔２０及び取付バー６の貫通孔の内径よりも小さく形成するとともに、長さ（自然長）はベース板２を屋根材１に取り付けた際の屋根材１上面からベース板２の山部２１下面までの間隔よりも長く形成してある。さらに本実施形態においては、パッキン材４１の上端部に螺子４０の頭部４０ａ裏面に沿う鍔部４２が形成してある。
【００２１】
この固着具４は、屋根材１上に載置したベース板２の取付バー６の貫通孔とこれに連通したベース板２の固着具挿通孔２０に上方から挿通して螺子４０の軸部４０ｂ先端を屋根材１にねじ込んでベース板２を屋根材１に固定するのであるが、このようにねじ込み固定した時、ベース板２と屋根材１との間（正確には固着具４の頭部４０ａ裏面と屋根材１の上面との間）でパッキン材４１が圧縮された状態となり、屋根材１の該固着具４がねじ込まれた部分の周縁部にパッキン材４１の下端部が圧接されることとなって、屋根材１の前記ねじ込まれた部分の防水がなされるものである（図１参照）。そしてさらに、パッキン材４１に鍔部４２が設けてあるので、固着具４の頭部４０ａ裏面とベース板２上面との間でパッキン材４１の鍔部４２を挟着した状態で締結されることとなって、ベース板２の固着具挿通孔２０においても防水がなされ、パッキン材４１の上端部からパッキン材４１内に水が浸入するのが防止される。
【００２２】
なお、本実施形態においては、ベース板２の山部２１に取付バー６を設けてあるが、取付バー６を取り付けずに固着具４をベース板２の固着具挿通孔２０に直接挿通するものでもよい。また、機能部材３は太陽光発電パネルに限定されないものである。
【図面の簡単な説明】
【００２３】
【図１】本発明の一実施形態の断面図である。
【図２】同上の固着具の正面図である。
【図３】同上の全体外観斜視図である。
【図４】ベース板の平面図である。
【図５】（ａ）（ｂ）は従来例を説明する要部断面図を示す。
【符号の説明】
【００２４】
１  屋根材
２  ベース板
２０  固着具挿通孔
３  機能部材
４  固着具
４０  螺子
４０ａ  頭部
４０ｂ  軸部
４１  パッキン材
【図１】
2005281978.tif 000003
【図２】
2005281978.tif 000004
【図３】
2005281978.tif 000005
【図４】
2005281978.tif 000006
【図５】
2005281978.tif 000007